【手続補正書】
【提出日】平成30年10月5日(2018.10.5)
【手続補正１】
【補正対象書類名】特許請求の範囲
【補正対象項目名】全文
【補正方法】変更
【補正の内容】
【特許請求の範囲】
【請求項１】
斜め送りインサートであって、
対向する第１すくい面及び第２すくい面と、
前記第１すくい面及び前記第２すくい面を連結するインサート周面と、
前記インサート周面の対向する両側に開口するインサートねじ孔であって、インサートねじ孔軸線を有するインサートねじ孔と、
前記インサート周面と前記第１すくい面及び前記第２すくい面の対応する一方との交線に沿って延びる第１切刃及び第２切刃と、を備え、
前記第１切刃及び前記第２切刃の各々が、
第１斜め送り副刃と、
第１側部副刃と、
前記第１斜め送り副刃及び前記第１側部副刃に連結された第１送り副刃と、
前記第１側部副刃に連結された第２斜め送り副刃と、
前記第１斜め送り副刃に連結された第２側部副刃と、
前記第２斜め送り副刃及び前記第２側部副刃に連結された第２送り副刃と、を備え、
前記斜め送り副刃及び前記送り副刃の各々が前記側部副刃の各々よりも長く、
各すくい面の最大すくい面長さが、前記すくい面の前記第１側部副刃と前記第２側部副刃との間で測定可能であり、かつ、前記斜め送り副刃及び前記送り副刃の各々は、前記斜め送り副刃及び前記送り副刃の両方が連結される前記側部副刃に近づくにつれて１点に向かって集まる、斜め送りインサート。
【請求項２】
各斜め送り副刃が角部分を備え、かつ、各送り副刃が、前記斜め送り副刃の角部分に隣接する角部分を備え、かつ、前記送り副刃に対する前記斜め送り副刃の連結点が、前記隣り合う角部分により形成された角部の中央に位置する、請求項１に記載の斜め送りインサート。
【請求項３】
隣り合う斜め送り副刃及び送り副刃の連結点が全て、中央厚さ平面上又は前記中央厚さ平面に平行な平面上に位置する、請求項１又は２に記載の斜め送りインサート。
【請求項４】
前記インサート周面が、前記第１切刃から前記第２切刃に平行に延びる、請求項１〜３のいずれか１項に記載の斜め送りインサート。
【請求項５】
前記インサート周面には逃がし部分が欠けている、請求項１〜４のいずれか１項に記載の斜め送りインサート。
【請求項６】
各側部副刃が直線部分を備える、請求項１〜５のいずれか１項に記載の斜め送りインサート。
【請求項７】
前記第１すくい面及び／又は前記第２すくい面上の前記側部副刃の前記直線部分が互いに平行である、請求項６に記載の斜め送りインサート。
【請求項８】
前記直線部分が、以下の長さ、前記中央厚さ平面に平行に測定可能な前記インサートの最大厚さの１５％±５％である長さ、前記斜め送り副刃の全長の１３％±５％である長さ、前記送り副刃の全長の１３％±５％である長さの１つ又は複数を有する、請求項６又は７に記載の斜め送りインサート。
【請求項９】
各送り副刃が、条件（５°＜ｋ１＜３０°）を満たす鋭角のインサートアプローチ角ｋ１を中央長さ平面に対して形成する、請求項１〜８のいずれか１項に記載の斜め送りインサート。
【請求項１０】
前記鋭角のインサートアプローチ角ｋ１は条件（１５°±５°）を満たす、請求項９に記載の斜め送りインサート。
【請求項１１】
前記第１すくい面及び前記第２すくい面の中心を貫通して延びるすくい軸線に平行に測定可能である最大高さと、前記中央厚さ平面に平行に測定可能である前記斜め送りインサートの最大厚さとを更に備え、前記最大高さが前記最大厚さよりも大きい、請求項１〜１０のいずれか１項に記載の斜め送りインサート。
【請求項１２】
前記インサートが、前記第１すくい面及び前記第２すくい面の前記中心を貫通して延びるすくい軸線に対して１８０°回転対称であり、かつ／又は、前記すくい軸線に垂直な高さ軸線であって中央厚さ平面と中央高さ平面との交線に沿って延びる前記高さ軸線に対して１８０°回転対称である、請求項１〜１１のいずれか１項に記載の斜め送りインサート。
【請求項１３】
前記第１切刃及び前記第２切刃が、第１すくい面及び第２すくい面よりも中央高さ平面から更に離れる方向に延び、かつ、
少なくとも側部副刃との連結点における、前記送り副刃が、少なくとも側部副刃との前記斜め送り副刃の連結点における、前記斜め送り副刃よりも前記中央高さ平面から更に離れる方向に延びる、請求項１〜１２のいずれか１項に記載の斜め送りインサート。
【請求項１４】
各すくい面が、中央長さ平面のそれぞれの側に第１すくい当接副面と第２すくい当接副面とを備え、前記すくい当接副面は、前記中央長さ平面に近づくにつれて中央高さ平面からのより大きな延在部が存在するように傾斜している、請求項１〜１３のいずれか１項に記載の斜め送りインサート。
【請求項１５】
回転軸線を中心に回転方向に回転するように構成された高送りフライス工具であって、
前記回転軸線が前後方向を規定し、
前記工具が、
工具端面と、
前記工具端面から後方に延びる、周方向に延びる工具周面と、
前記工具端面と前記工具周面との交線に形成されるとともに前記工具端面から後方に延びる溝と、
前記工具端面と前記工具周面との交線に形成されるとともに前記溝に開口するインサートポケットと、を備え、
前記インサートポケットが、
前記工具周面から内方に延びるとともに前記回転方向に面するポケット後面と、
前記ポケット後面から前記溝に延びるとともに外方に面するポケット側面と、
前記工具周面から前記ポケット側面に内方に延びるとともに、前記ポケット後面から前記溝にも延びるポケット頂面と、
前記ポケット頂面に開口するポケットねじ孔と、を備え、
前記ポケット後面が後部当接副面を備え、
前記ポケット頂面が第１ポケット頂部副面と第２ポケット頂部副面とを備え、
前記第１ポケット頂部副面が、前記工具周面に隣接するとともに、前記工具周面に近づくにつれてより前記前方向に延び、
前記第２ポケット頂部副面が、前記ポケット側面に隣接するとともに、前記ポケット側面に近づくにつれてより前記前方向に延び、かつ、
前記第１ポケット頂部副面及び前記第２ポケット頂部副面が、前記溝に近づくにつれてより前方向に延びる、高送りフライス工具。
【請求項１６】
前記ポケット後面を前記回転方向と反対方向に見て、前記第１ポケット頂部副面が、前記回転軸線に垂直に延びる工具平面に対して内側鋭角の第１刃物角ｋ２を形成し、かつ、前記第２ポケット頂部副面が、前記回転軸線に垂直に延びる工具平面に対して内側鋭角の第２刃物角ｋ３を形成し、前記第１刃物角及び前記第２刃物角が条件（６°＜ｋ２、ｋ３＜３１°）を満たす、請求項１５に記載の工具。
【請求項１７】
前記前記第１刃物角及び前記第２刃物角が条件（１５．５°±５°）を満たす、請求項１６に記載の工具。
【請求項１８】
前記第１ポケット頂部副面及び前記第２頂部副面が、等しい径方向距離にわたって延びる、請求項１５〜１７のいずれか１項に記載の工具。
【請求項１９】
前記ポケット頂面が、前記第１ポケット頂部副面と前記第２ポケット頂部副面との間に頂面逃がし凹部を有するように形成され、かつ／又は、前記ポケット後面が、前記ポケット後面の後部当接面を２つ後部当接副面に分割する後面逃がし凹部を有するように形成される、請求項１５〜１８のいずれか１項に記載の工具。
【請求項２０】
各後部当接副面が、前記ポケットねじ孔のポケットねじ孔軸線に対して傾斜しており、その結果、前記工具端面に近づくにつれて、前記後部当接副面が更に前記回転方向に延びる、請求項１５〜１９のいずれか１項に記載の工具。
【請求項２１】
任意の数（ｎ）のインサートポケットを含み、前記数（ｎ）が、ミリメートル単位で測定される、前記工具の切削径を１０で割ることにより得られた値に最も近い整数である、請求項１５〜２０のいずれか１項に記載の工具。
【請求項２２】
高送りフライス工具組立体であって、
請求項１〜１４のいずれか１項に記載の斜め送りインサートと、
請求項１５〜２１のいずれか１項に記載の工具と、
前記斜め送りインサートと前記ポケットねじ孔とを通して前記インサートを前記工具の前記インサートポケットに締結するねじと、を組み合わせて備え、
前記工具及び前記斜め送りインサートが、前記インサート周面を前記ポケット側面並びに第１ポケット頂部副面及び第２ポケット頂部副面の各々に、かつ、前記第１すくい面及び前記第２すくい面の一方を前記ポケット後面に当接させるように構成され、
前記一方のすくい面の各斜め送り副刃が、中央長さ平面に対して内側鋭角のインサート斜め送り角ｋ０を形成し、
前記一方のすくい面の各送り副刃が、前記中央長さ平面に対して内側鋭角のインサートアプローチ角ｋ１を形成し、
前記工具のポケット後面を前記回転方向と反対方向に見て、前記第１ポケット頂部副面が、前記回転軸線に垂直に延びる工具平面に対して内側鋭角の第１刃物角ｋ２を形成し、かつ、
前記第２ポケット頂部副面が、前記工具平面に対して内側鋭角の第２刃物角ｋ３を形成し、かつ、
第１刃物角ｋ２及び第２刃物角ｋ３の合計が、インサート斜め送り角ｋ０及びインサートアプローチ角ｋ１の合計よりも大きい、高送りフライス工具組立体。